(57)【要約】【課題】  コスト増を抑制しつつ、情報再生装置と携帯情報端末との間で再生情報を手軽に転送できるようにする。【解決手段】  像圧縮暗号化処理部５７、ＯＦＤＭ符号化装置５８、ＲＦ送信部５９およびＲＦ送信用アンテナ２６を光ディスク装置２１に設け、携帯電話が端末挿入部２５に挿入されると、光ディスク装置２１にて光ディスクから読み取られた情報をＯＦＤＭ符号化し、地上ディジタル放送用の電波に乗せてＲＦ送信用アンテナ２６から送信し、ＲＦ送信用アンテナ２６から送信された地上ディジタル放送用の電波を放送受信アンテナ１０にて受信させ、放送受信アンテナ１０にて受信された情報を、携帯電話にてＯＦＤＭ復調を行わせた後、携帯電話に保持させる。【選択図】      図３
2006108835.tif 000002
【特許請求の範囲】
【請求項１】
記憶媒体に記憶された情報を読み取る情報読み取り手段と、
前記情報読み取り手段にて読み取られた情報を再生する再生手段と、
前記情報読み取り手段にて読み取られた情報をＯＦＤＭ符号化するＯＦＤＭ符号化手段と、
前記ＯＦＤＭ符号化されたデータを無線にて送信する無線送信手段とを備えることを特徴とする情報再生装置。
【請求項２】
前記情報読み取り手段にて読み取られた情報を圧縮する圧縮手段をさらに備え、
前記ＯＦＤＭ符号化手段は、前記圧縮手段にて圧縮された情報をＯＦＤＭ符号化することを特徴とする請求項１記載の情報再生装置。
【請求項３】
前記情報読み取り手段にて読み取られた情報を暗号化する暗号化手段をさらに備え、
前記ＯＦＤＭ符号化手段は、前記暗号化手段にて暗号化された情報をＯＦＤＭ符号化することを特徴とする請求項１記載の情報再生装置。
【請求項４】
前記無線送信手段は、地上ディジタル放送の１チャンネル分の伝送を行うために必要なセグメントよりも多くのセグメントの帯域を使用しながら、前記ＯＦＤＭ符号化されたデータを無線にて送信することを特徴とする請求項１から３のいずれか１項記載の情報再生装置。
【請求項５】
携帯情報端末を支持する支持手段と、
前記支持手段に支持されている携帯情報端末の充電を行う充電用端子と、
前記支持手段に支持されている携帯情報端末の放送受信アンテナと対向するように配置され、前記無線送信手段から送られたデータを送出するＲＦ送信用アンテナとを備えることを特徴とする請求項１から４のいずれか１項記載の情報再生装置。
【請求項６】
地上ディジタル放送の空チャンネルを検出する空チャンネル検出手段と、
前記空チャンネル検出手段にて検出された空チャンネルを使用してデータ送信を行うように前記無線送信手段に指示する空チャンネル指示手段と、
前記空チャンネル検出手段にて検出された空チャンネルに関する情報を、前記無線送信手段からのデータの送信先に有線にて伝達する空チャンネル情報伝達手段とを備えることを特徴とする請求項１から５のいずれか１項記載の情報再生装置。
【請求項７】
情報再生装置との間で位置決めを行う位置決め手段と、
前記位置決めされた情報再生装置のＲＦ送信用アンテナと対向するように配置された放送受信アンテナと、
前記情報再生装置にてＯＦＤＭ符号化されたデータを前記放送受信アンテナを介して受信する無線受信手段と、
前記無線受信手段にて受信された情報をＯＦＤＭ復号化するＯＦＤＭ復号化手段と、
前記ＯＦＤＭ復号化された情報を表示する表示手段と、
充電用の電力の供給を受ける充電用端子とを備えることを特徴とする携帯情報端末。
【請求項８】
地上ディジタル放送の空チャンネルに関する情報を情報再生装置から受信する空チャンネル受信手段と、
前記空チャンネルに関する情報に基づいて、前記情報再生装置にてＯＦＤＭ符号化されたデータを無線にて受信する無線受信手段と、
前記無線受信手段にて受信された情報をＯＦＤＭ復号化するＯＦＤＭ復号化手段と、
前記ＯＦＤＭ復号化された情報を表示する表示手段とを備えることを特徴とする携帯情報端末。
【請求項９】
情報を記憶する記憶手段と、
前記記憶手段に記憶されている情報をＯＦＤＭ符号化するＯＦＤＭ符号化手段と、
前記ＯＦＤＭ符号化された情報を無線にて送信する無線送信手段と、
ＯＦＤＭ符号化された情報を受信する無線受信手段と、
前記無線受信手段にて受信された情報をＯＦＤＭ復号化するＯＦＤＭ復号化手段と、
前記ＯＦＤＭ復号化された情報を前記記憶手段に記憶する記憶手段とを備えることを特徴とする携帯情報端末。
【発明の詳細な説明】
【技術分野】
【０００１】
本発明は情報再生装置および携帯情報端末に関し、特に、光ディスク装置から読み出した再生情報を地上ディジタル放送帯域に変換して携帯情報端末に伝送する方法に適用して好適なものである。
【背景技術】
【０００２】
地上ディジタル放送では、例えば、非特許文献１、２に開示されているように、画像情報や音声情報がディジタル化され、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）変調方式を使って放送される。そして、この地上ディジタル放送では、放送帯域の全てを使ったハイビジョン放送サービスが行われるほか、携帯電話端末などの移動体に対して簡易動画サービスを行うことができる。このため、今後地上ディジタル放送の簡易動画サービスが受信できる携帯電話端末や携帯再生装置が普及することが予想される。
【０００３】
その一方で家庭などでは、動画像などを再生する光ディスク装置が普及している。この光ディスク装置では、特許文献１に開示されているように、テレビジョン受像機と同軸ケーブルにより結合し、光ディスク再生装置にて再生された画像情報や音声情報をビデオ信号あるいはＲＦ変調波として変換し、受像装置に伝送する技術がある。このときビデオ信号は、特定の画像フォーマット、たとえばＭＰＥＧ２やＨ．２６４などのデータフォーマットに変換され、このデータをメモリーカードやＵＳＢやＩＥＥＥ１３９４などのインターフェースを使って携帯電話に転送することは公知の技術である。
【０００４】
また、光ディスク装置のほかにも媒体として磁気ディスク装置を備えるものや、特許文献２に開示されているように、自宅などの受信環境のよい場所で地上ディジタル放送などの放送波を受信し、その内容を光ディスクや磁気ディスク装置などの記憶装置に蓄え、テレビジョン受像機で再生させる装置も開発されている。
さらに、特許文献３には、光ディスク再生装置の読み出し時に通常の動画の再生に必要な速度よりも早く先読みしてバッファに蓄えることにより、時間的に途切れることなく連続して再生できるようにする技術が開示されている。
【０００５】
また、特許文献４には、混信などの影響によるビット誤り率特性の劣化を最小限に抑えながら、ＯＦＤＭの伝送容量を増加させ、現行テレビジョン放送の１チャンネル分の帯域の中で、ディジタルテレビジョン放送を可能にする方法が開示されている。
また、非特許文献３には、地上ディジタル放送用の電波を受信し、ＯＦＤＭ復調を行う機能を携帯電話端末や移動用の受像機に持たせる方法が開示されている。
【特許文献１】特開平６−１５３１３６号公報
【特許文献２】特開２００２−２４０９２号公報
【特許文献３】特開平７−３０２４６８号公報
【特許文献４】特開平５−１６７６３３号公報
【非特許文献１】上原「地上デジタル放送のＯＦＤＭ信号および多重信号のフレーム構成」ＮＨＫ技研Ｒ＆Ｄ  １９９９年５月  ｐ．２０
【非特許文献２】佐々木、黒田「地上デジタル放送方式」ＮＨＫ技研Ｒ＆Ｄ  １９９９年５月  ｐ．４
【非特許文献３】加藤「地上波デジタル放送を受信する携帯電話機の期待と開発課題」日経エレクトロニクス  ２００３年１２月８日  ｐ．１３２
【発明の開示】
【発明が解決しようとする課題】
【０００６】
しかしながら、従来の方法では、光ディスク装置にて再生された再生情報を携帯電話に転送するためには、光ディスク装置と携帯電話とをケーブルで接続する必要があり、手間がかかるという問題があった。また、ケーブルを使わないデータ伝送の例として、赤外線インターフェースなどがあるが、伝送速度が遅かったり、インターフェース回路のコストを負担しなければならないという問題があった。
【０００７】
そこで、本発明の目的は、コスト増を抑制しつつ、再生情報を手軽に転送することが可能な情報再生装置および携帯情報端末を提供することである。
【課題を解決するための手段】
【０００８】
上述した課題を解決するために、本発明の一態様に係る情報再生装置によれば、記憶媒体に記憶された情報を読み取る情報読み取り手段と、前記情報読み取り手段にて読み取られた情報を再生する再生手段と、前記情報読み取り手段にて読み取られた情報をＯＦＤＭ符号化するＯＦＤＭ符号化手段と、前記ＯＦＤＭ符号化されたデータを無線にて送信する無線送信手段とを備えることを特徴とする。
【０００９】
これにより、情報再生装置にて読み取られた情報を地上ディジタル放送用の電波に乗せて送ることができ、携帯情報端末に搭載された地上ディジタル放送を受信するためのＲＦ回路およびベースバンド処理回路を流用しながら、情報再生装置にて読み取られた情報を携帯情報端末に受信させることができる。このため、情報再生装置にて読み取られた情報を携帯情報端末に転送するために、情報再生装置と携帯情報端末とをケーブルで接続する必要がなくなり、情報再生装置にて読み取られた情報を携帯情報端末に手軽に転送することが可能となるとともに、情報再生装置にて読み取られた情報を受信するための無線インターフェース回路を携帯情報端末に別途搭載する必要がなくなり、携帯情報端末のコストの上昇を抑制することができる。
【００１０】
また、本発明の一態様に係る情報再生装置によれば、前記情報読み取り手段にて読み取られた情報を圧縮する圧縮手段をさらに備え、前記ＯＦＤＭ符号化手段は、前記圧縮手段にて圧縮された情報をＯＦＤＭ符号化することを特徴とする。
これにより、携帯情報端末に送られる情報の圧縮率を高くすることが可能となり、携帯情報端末にて再生可能な品位まで情報量を削減することが可能となる。このため、携帯情報端末における視認性を損なうことなく、転送時間を短縮することが可能となるとともに、携帯情報端末の記憶容量を削減することを可能として、携帯情報端末の小型・軽量化を図ることができる。
【００１１】
また、本発明の一態様に係る情報再生装置によれば、前記情報読み取り手段にて読み取られた情報を暗号化する暗号化手段をさらに備え、前記ＯＦＤＭ符号化手段は、前記暗号化手段にて暗号化された情報をＯＦＤＭ符号化することを特徴とする。
これにより、情報再生装置にて読み取られた情報を携帯情報端末に無線で転送した場合においても、第３者による盗聴を防止することができ、情報再生装置から携帯情報端末に情報を転送する時のセキュリティを確保することができる。
【００１２】
また、本発明の一態様に係る情報再生装置によれば、前記無線送信手段は、地上ディジタル放送の１チャンネル分の伝送を行うために必要なセグメントよりも多くのセグメントの帯域を使用しながら、前記ＯＦＤＭ符号化されたデータを無線にて送信することを特徴とする。
これにより、携帯情報端末に搭載された地上ディジタル放送を受信するためのＲＦ回路およびベースバンド処理回路を流用することを可能としつつ、情報再生装置から携帯情報端末に情報を転送する時の転送速度を向上させることが可能となり、コストアップを伴うことなく、情報再生装置にて読み取られた情報の転送速度の高速化を図ることが可能となる。
【００１３】
また、本発明の一態様に係る情報再生装置によれば、携帯情報端末を支持する支持手段と、前記支持手段に支持されている携帯情報端末の充電を行う充電用端子と、前記支持手段に支持されている携帯情報端末の放送受信アンテナと対向するように配置され、前記無線送信手段から送られたデータを送出するＲＦ送信用アンテナとを備えることを特徴とする。
【００１４】
これにより、携帯情報端末を情報再生装置に安定して設置することを可能とした上で、携帯情報端末と情報再生装置との間で効率よくデータの転送を行わせることが可能となるとともに、携帯情報端末の充電も行うことが可能となる。
また、本発明の一態様に係る情報再生装置によれば、地上ディジタル放送の空チャンネルを検出する空チャンネル検出手段と、前記空チャンネル検出手段にて検出された空チャンネルを使用してデータ送信を行うように前記無線送信手段に指示する空チャンネル指示手段と、前記空チャンネル検出手段にて検出された空チャンネルに関する情報を、前記無線送信手段からのデータの送信先に有線にて伝達する空チャンネル情報伝達手段とを備えることを特徴とする。
【００１５】
これにより、携帯情報端末に搭載された地上ディジタル放送を受信するためのＲＦ回路およびベースバンド処理回路を流用することで、情報再生装置にて地上ディジタル放送を受信しながら、情報再生装置と携帯情報端末との間でデータの転送を行わせることが可能となる。
また、本発明の一態様に係る携帯情報端末によれば、情報再生装置との間で位置決めを行う位置決め手段と、前記位置決めされた情報再生装置のＲＦ送信用アンテナと対向するように配置された放送受信アンテナと、前記情報再生装置にてＯＦＤＭ符号化されたデータを前記放送受信アンテナを介して受信する無線受信手段と、前記無線受信手段にて受信された情報をＯＦＤＭ復号化するＯＦＤＭ復号化手段と、前記ＯＦＤＭ復号化された情報を表示する表示手段と、充電用の電力の供給を受ける充電用端子とを備えることを特徴とする。
【００１６】
これにより、携帯情報端末を情報再生装置に安定して設置することを可能とした上で、携帯情報端末と情報再生装置との間で効率よくデータの転送を行わせることが可能となるとともに、携帯情報端末の充電も行うことが可能となる。
また、本発明の一態様に係る携帯情報端末によれば、地上ディジタル放送の空チャンネルに関する情報を情報再生装置から受信する空チャンネル受信手段と、前記空チャンネルに関する情報に基づいて、前記情報再生装置にてＯＦＤＭ符号化されたデータを無線にて受信する無線受信手段と、前記無線受信手段にて受信された情報をＯＦＤＭ復号化するＯＦＤＭ復号化手段と、前記ＯＦＤＭ復号化された情報を表示する表示手段とを備えることを特徴とする。
【００１７】
これにより、携帯情報端末に搭載された地上ディジタル放送を受信するためのＲＦ回路およびベースバンド処理回路を流用させることで、情報再生装置にて地上ディジタル放送を受信しながら、情報再生装置と携帯情報端末との間でデータの転送を行わせることが可能となる。
また、本発明の一態様に係る携帯情報端末によれば、情報を記憶する記憶手段と、前記記憶手段に記憶されている情報をＯＦＤＭ符号化するＯＦＤＭ符号化手段と、前記ＯＦＤＭ符号化された情報を無線にて送信する無線送信手段と、ＯＦＤＭ符号化された情報を受信する無線受信手段と、前記無線受信手段にて受信された情報をＯＦＤＭ復号化するＯＦＤＭ復号化手段と、前記ＯＦＤＭ復号化された情報を前記記憶手段に記憶する記憶手段とを備えることを特徴とする。
【００１８】
これにより、携帯情報端末が保持している情報を地上ディジタル放送用の電波に乗せて携帯情報端末間でやり取りすることができ、一の携帯情報端末が保持している情報を他の携帯情報端末に高速に転送することができる。
【発明を実施するための最良の形態】
【００１９】
以下、本発明の一実施形態に係る携帯情報端末および情報再生装置について図面を参照しながら説明する。
図１は、本発明の実施形態に係る携帯情報端末の概略構成を示す斜視図である。
図１において、第１筐体部１の表面には、操作ボタン４が配置されるとともに、第１筐体部１の下方にはマイク５が設けられ、第１筐体部１の上端には無線通信用アンテナ６が取り付けられている。さらに、第１筐体部１の下端には、携帯情報端末の充電を行うための充電用端子１１が設けられるとともに、第１筐体部１の側面には、携帯情報端末の位置決めを行うためのスリット１２が設けられている。
【００２０】
また、第２筐体部２の表面には、表示体８が設けられるとともに、第２筐体部２の上端にはスピーカ９が設けられている。なお、表示体８としては、例えば、液晶表示パネル、有機ＥＬパネルまたはプラズマディスプレイパネルなどを用いることができる。さらに、第２筐体部２の裏面には、地上ディジタル放送を受信するための放送受信アンテナ１０が設けられている。そして、第１筐体部１および第２筐体部２はヒンジ３を介して連結され、ヒンジ３を支点として第２筐体部２を回転させることにより、第２筐体部２を第１筐体部１上に折り畳むことができる。
【００２１】
なお、上述した実施形態では、携帯情報端末として携帯電話を例にとって説明したが、デジタルカメラ、ビデオカメラ、ＰＤＡ（Ｐｅｒｓｏｎａｌ  Ｄｉｇｉｔａｌ  Ａｓｓｉｓｔａｎｃｅ）、ＩＣカード、ノート型パーソナルコンピュータなどであってもよい。
図２（ａ）は、本発明の実施形態に係る情報再生装置の概略構成を示す斜視図、図２（ｂ）は、図２（ａ）の端末挿入部を拡大して示す斜視図である。なお、以下の説明では、情報再生装置として光ディスク装置を例にとって説明するが、情報再生装置としては、光ディスク装置以外にも、例えば、磁気ディスク装置などであってもよい。
【００２２】
図２（ａ）において、光ディスク装置２１の前面には、光ディスクを挿入するディスク挿入口２２が設けられるとともに、操作情報や再生情報などの各種情報を表示する表示部２３が配置されている。また、光ディスク装置２１の上面には、図１の携帯電話を挿入する端末挿入口２４が設けられている。
また、図２（ｂ）に示すように、端末挿入口２４には、図１の携帯電話を挿入可能な端末挿入部２５が内蔵されている。そして、端末挿入部２５の一面には、地上ディジタル放送用の電波を送出するＲＦ送信用アンテナ２６が配置されるとともに、端末挿入部２５の側面には、図１の携帯電話を嵌め込む嵌め込み部２８が設けられている。また、端末挿入部２５の下面には、図１の携帯電話の充電を行う充電用端子２７が配置されている。
【００２３】
ここで、嵌め込み部２８は、図１の携帯電話に設けられたスリット１２に挿入可能なように構成することができる。また、ＲＦ送信用アンテナ２６は、図１の携帯電話に設けられたスリット１２に嵌め込み部２８を嵌め込んだ時に、携帯電話の放送受信アンテナ１０と互いに対向するように配置することができる。また、充電用端子２７は、図１の携帯電話に設けられたスリット１２に嵌め込み部２８を嵌め込んだ時に、携帯電話の充電用端子１１と接触するように配置することができる。
【００２４】
そして、図１の携帯電話が端末挿入部２５に挿入されると、光ディスク装置２１にて光ディスクから読み取られた情報がＯＦＤＭ符号化され、地上ディジタル放送用の電波に乗せられてＲＦ送信用アンテナ２６から送信される。そして、ＲＦ送信用アンテナ２６から送信された地上ディジタル放送用の電波は放送受信アンテナ１０にて受信される。そして、放送受信アンテナ１０にて受信された情報は、携帯電話にてＯＦＤＭ復調が行われた後、携帯電話に保持することができる。
【００２５】
これにより、光ディスク装置２１にて読み取られた情報を地上ディジタル放送用の電波に乗せて送ることができ、携帯電話に搭載された地上ディジタル放送を受信するためのＲＦ回路およびベースバンド処理回路を流用することで、光ディスク装置２１にて読み取られた情報を携帯電話に受信させることができる。このため、光ディスク装置２１にて読み取られた情報を携帯電話に転送するために、光ディスク装置２１と携帯電話とをケーブルで接続する必要がなくなり、光ディスク装置２１にて読み取られた情報を携帯電話に手軽に転送することが可能となるとともに、光ディスク装置２１にて読み取られた情報を受信するための無線インターフェース回路を携帯電話に別途搭載する必要がなくなり、携帯電話のコストの上昇を抑制することができる。
【００２６】
また、嵌め込み部２８を嵌め込むためのスリット１２を携帯電話に設けるとともに、ＲＦ送信用アンテナ２６と放送受信アンテナ１０とを互いに対向配置させることにより、携帯電話を光ディスク装置２１に安定して設置することを可能とした上で、携帯電話と光ディスク装置２１との間で効率よくデータの転送を行わせることが可能となるとともに、携帯電話の充電も行うことが可能となる。
【００２７】
なお、ＲＦ送信用アンテナ２６と放送受信用アンテナ１０との間で通信を行わせる場合、電波法の規定による微弱電波を使用する。
図３は、図１の携帯情報端末および図２の情報再生装置の概略構成を示すブロック図である。
図３において、情報再生装置には、地上ディジタル放送用の電波を受信する放送受信アンテナ５１、地上ディジタル放送の受信処理を行うＲＦ受信部５２、地上ディジタル放送にて送られた情報のＯＦＤＭ復号を行うＯＦＤＭ復号装置５３、光ディスクまたは磁気ディスクの駆動および読み取りを行うドライブ装置５４、ドライブ装置５４にて読み取られた情報の伸長を行い、ビデオ信号としてテレビジョン受像機６０に出力する画像伸長装置５５、ドライブ装置５４にて読み取られた情報を一時的に記憶するバッファメモリ５６、ドライブ装置５４にて読み取られた情報の圧縮および暗号化を行う画像圧縮暗号化処理部５７、画像圧縮暗号化処理部５７にて圧縮および暗号化された情報のＯＦＤＭ符号化を行うＯＦＤＭ符号化装置５８、ＯＦＤＭ符号化装置５８にてＯＦＤＭ符号化された情報を無線にて送信するＲＦ送信部５９およびＲＦ送信部５９にて送信された情報を地上ディジタル放送用の電波に乗せて送出するＲＦ送信用アンテナ２６が設けられている。
【００２８】
また、携帯情報端末には、地上ディジタル放送用の電波を受信する放送受信アンテナ１０、地上ディジタル放送の受信処理を行うＲＦ受信部７１、地上ディジタル放送にて送られた情報のＯＦＤＭ復号を行うＯＦＤＭ復号装置７２、ＯＦＤＭ復号が行われた情報を記憶する記憶装置７３、記憶装置７３に記憶されている情報の伸長を行う画像伸長装置７４および画像伸長装置７４にて伸長された情報を表示する画像表示装置７５が設けられている。
【００２９】
そして、地上ディジタル放送は放送受信アンテナ５１を介してＲＦ受信部５２にて受信され、ＯＦＤＭ復号装置５３にて復号される。そして、ＯＦＤＭ復号装置５３にて復号された情報はドライブ装置５４に送られ、光ディスクまたは磁気ディスクに記憶される。
そして、図１の携帯電話が端末挿入部２５に挿入されると、ドライブ装置５４は光ディスクまたは磁気ディスクを駆動することにより、光ディスクまたは磁気ディスクに記憶された情報を読み出し、バッファメモリ５６に記憶させる。そして、バッファメモリ５６に記憶された情報は、画像圧縮暗号化処理部５７に送られ、ドライブ装置５４にて読み取られた情報の圧縮および暗号化が行われた後、ＯＦＤＭ符号化装置５８に送られる。なお、画像圧縮暗号化処理部５７での圧縮方法は、例えば、ＭＰＥＧ４やＨ．２６４などの方式を用いることができる。
【００３０】
そして、画像圧縮暗号化処理部５７にて圧縮および暗号化された情報がＯＦＤＭ符号化装置５８に送られると、ＯＦＤＭ符号化が行われた後ＲＦ送信部５９に送られ、地上ディジタル放送用の電波に乗せてＲＦ送信用アンテナ２６から送信される。
そして、ＲＦ送信用アンテナ２６から送信された地上ディジタル放送用の電波は、放送受信アンテナ１０を介してＲＦ受信部７１にて受信される。そして、ＲＦ受信部７１にて受信された情報は、ＯＦＤＭ復号装置７２にてＯＦＤＭ復調が行われた後、記憶装置７３に記憶される。そして、記憶装置７３に記憶された情報は、画像伸長装置７４にて伸長された後、画像表示装置７５に表示される。
【００３１】
ここで、ドライブ装置５４にて読み取られた情報を画像圧縮暗号化処理部５７にて圧縮することにより、携帯電話に送られる情報の圧縮率を高くすることが可能となり、携帯電話にて再生可能な品位まで情報量を削減することが可能となる。このため、携帯電話における視認性を損なうことなく、転送時間を短縮することが可能となるとともに、記憶装置７３の記憶容量を削減することを可能として、携帯電話の小型・軽量化を図ることができる。
【００３２】
また、ドライブ装置５４にて読み取られた情報を画像圧縮暗号化処理部５７にて暗号化することにより、ドライブ装置５４にて読み取られた情報を携帯電話に無線で転送した場合においても、第３者による盗聴を防止することができ、光ディスク装置２１から携帯電話に情報を転送する時のセキュリティを確保することができる。暗号化をすることにより、特定の携帯端末のみでしか再生できなくなるという効果を持つ。
【００３３】
また、ＲＦ送信部５９は、地上ディジタル放送の１チャンネル分の伝送を行うために必要なセグメントよりも多くのセグメントの帯域を使用しながら、ＯＦＤＭ符号化されたデータを無線にて送信するようにしてもよい。すなわち、光ディスク装置２１から携帯電話へのデータ転送を行う場合、ドライブ装置５４は、光ディスクに記憶された動画データを通常の再生時よりも早い速度で読み出す。そして、通常の動画ファイルは地上ディジタル放送では１３個あるセグメントのうち、３セグメントのみの帯域で伝送できるが、光ディスク装置２１から携帯電話へのデータ転送を行う時には、例えば、１３個分のセグメント全ての帯域を使いながら伝送を行うことにより、通常の画像伝送速度の４分の１の時間で伝送することができる。
【００３４】
なお、上述した実施形態では、画像圧縮暗号化処理部５７、ＯＦＤＭ符号化装置５８、ＲＦ送信部５９およびＲＦ送信用アンテナ２６を情報再生装置に設ける方法について説明したが、画像圧縮暗号化処理部５７、ＯＦＤＭ符号化装置５８、ＲＦ送信部５９およびＲＦ送信用アンテナ２６を携帯情報端末に設けるようにしてもよい。これにより、携帯情報端末が保持している情報を地上ディジタル放送用の電波に乗せて携帯情報端末間でやり取りすることができ、一の携帯情報端末が保持している情報を他の携帯情報端末に高速に転送することができる。
【００３５】
また、上述した実施形態では、情報再生装置にて読み取られた情報を地上ディジタル放送用の電波に乗せて携帯情報端末に転送する方法について説明したが、情報再生装置にて読み取られた情報を地上ディジタル放送用の電波に乗せて情報再生装置間でやり取りするようにしてもよい。これにより、情報再生装置間をケーブルで接続することなく、一の情報再生装置が保持している情報を他の情報再生装置に高速にダビングすることが可能となる。
【００３６】
図４および図５は、本発明の第２実施形態に係る情報再生装置および携帯情報端末の概略構成を示すブロック図である。
図４において、情報再生装置には、図３の情報再生装置の構成に加え、ＣＰＵ８１、シリアルインターフェース８２およびコネクタ８３が設けられている。また、図５において、携帯情報端末には、図３の携帯情報端末の構成に加え、ＣＰＵ９１、シリアルインターフェース９２およびコネクタ９３が設けられている。
【００３７】
そして、情報再生装置と携帯情報端末とがコネクタ８３、９３を介して互いに接続されると、ＣＰＵ８１は受信周波数を制御しながらＲＦ受信部５２に地上ディジタル放送を受信させる。そして、ＲＦ受信部５２にて地上ディジタル放送が受信されると、その時の空き周波数を検出し、検出された空き周波数に関する情報をＲＦ送信部５９に伝えるとともに、シリアルインターフェース８２に伝える。そして、ＲＦ送信部５９は、地上ディジタル放送の空き周波数に関する情報をＣＰＵ８１から受け取ると、ＯＦＤＭ符号化装置５８にてＯＦＤＭ符号化された情報をその空き周波数に重畳させ、ＲＦ送信用アンテナ２６を介して送信する。
【００３８】
一方、シリアルインターフェース８２は、地上ディジタル放送の空き周波数に関する情報をＣＰＵ８１から受け取ると、コネクタ８３、９３を介して携帯情報端末のシリアルインターフェース９２に送る。そして、シリアルインターフェース９２は、地上ディジタル放送の空き周波数に関する情報をシリアルインターフェース８２から受け取ると、その情報をＣＰＵ９１に送る。そして、ＣＰＵ９１は、地上ディジタル放送の空き周波数に関する情報を受け取ると、その空き周波数に対応したチャンネルにＲＦ受信部７１を同調させる。
【００３９】
そして、ＯＦＤＭ符号化装置５８にてＯＦＤＭ符号化された情報がＲＦ送信用アンテナ２６を介して送信されると、ＲＦ受信部７１は、地上ディジタル放送の空き周波数に同調させながら、情報再生装置から送信された情報を放送受信アンテナ１０を介して受信する。そして、ＲＦ受信部７１にて受信された情報は、ＯＦＤＭ復号装置７２にてＯＦＤＭ復調が行われた後、記憶装置７３に記憶される。そして、記憶装置７３に記憶された情報は、画像伸長装置７４にて伸長された後、画像表示装置７５に表示される。
【００４０】
これにより、携帯情報端末に搭載された地上ディジタル放送を受信するためのＲＦ回路およびベースバンド処理回路を流用することで、情報再生装置にて地上ディジタル放送を受信しながら、情報再生装置と携帯情報端末との間でデータの転送を行わせることが可能となる。
【図面の簡単な説明】
【００４１】
【図１】一実施形態の携帯情報端末の概略構成を示す斜視図。
【図２】一実施形態の情報再生装置の概略構成を示す斜視図。
【図３】図１の携帯情報端末と図２の情報再生装置の構成を示すブロック図。
【図４】第２実施形態の情報再生装置の構成を示すブロック図。
【図５】第２実施形態の携帯情報端末の構成を示すブロック図。
【符号の説明】
【００４２】
１  第１筐体部、２  第２筐体部、３  ヒンジ、４  操作ボタン、５  マイク、６  無線通信用アンテナ、８  表示体、９スピーカ、１０、５１  放送受信アンテナ、１１、２７  充電用端子、１２  スリット、２１  光ディスク装置、２２  ディスク挿入口、２３  表示部、２４  端末挿入口、２５  端末挿入部、２６  ＲＦ送信用アンテナ、２８  嵌め込み部、５２、７１  ＲＦ受信部、５３、７２  ＯＦＤＭ復号装置、５４  ドライブ装置、５５、７４  画像伸長装置、５６  バッファメモリ、５７  画像圧縮暗号化処理部、５８  ＯＦＤＭ符号化装置、５９  ＲＦ送信部、６０  テレビジョン受像機、７３  記憶装置、７５  画像表示装置、８１、９１  ＣＰＵ、８２、９２  シリアルインターフェース、８３、９３  コネクタ
【図１】
2006108835.tif 000003
【図２】
2006108835.tif 000004
【図３】
2006108835.tif 000005
【図４】
2006108835.tif 000006
【図５】
2006108835.tif 000007